【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
通信装置と通信する情報処理装置であって、
第１の通信方式によって通信する通信装置を検索する第１の検索手段と、
前記第１の通信方式と異なる第２の通信方式によって通信する通信装置を検索する第２の検索手段と、
前記第１の検索手段によって発見された通信装置及び前記第２の検索手段によって発見された通信装置から、通信装置の所定の能力に関する能力情報を取得する取得手段と、
前記第１の検索手段が検索した通信装置及び前記第２の検索手段が検索した通信装置のうちいずれかの通信装置を選択するための選択操作をユーザから受け付ける受け付け手段と、
を有し、
前記取得手段は、前記選択操作が受け付けられる前には、前記第１の検索手段によって発見された通信装置から前記能力情報を取得し、前記第２の検索手段によって発見された通信装置から前記能力情報を取得せず、前記選択操作が受け付けられた後には、前記第２の検索手段によって発見され、且つ前記選択操作により選択された通信装置から前記能力情報を取得し、前記第１の検索手段によって発見された通信装置及び、前記第２の検索手段によって発見され、且つ前記選択操作により選択されなかった通信装置から前記能力情報を取得しないことを特徴とする情報処理装置。
【請求項２】
前記第１の検索手段は、記録剤によって記録媒体上に画像を形成する画像形成手段を備え且つ前記第１の通信方式によって通信する通信装置を検索し、
前記第２の検索手段は、前記画像形成手段を備え且つ前記第２の通信方式によって通信する通信装置を検索することを特徴とする請求項１に記載の情報処理装置。
【請求項３】
前記第１の通信方式は、ピアツーピア通信方式であることを特徴とする請求項１又は請求項２に記載の情報処理装置。
【請求項４】
前記第１の通信方式は、Ｗｉ−Ｆｉ  Ｄｉｒｅｃｔの通信方式であることを特徴とする請求項１乃至請求項３のいずれか一項に記載の情報処理装置。
【請求項５】
前記第１の検索手段は、Ｗｉ−Ｆｉ  Ｄｉｒｅｃｔで規定された検索プロトコルによって、Ｗｉ−Ｆｉ  Ｄｉｒｅｃｔの通信方式によって通信可能な通信装置にサービス情報の提供を要求するブロードキャストを発行し、当該ブロードキャストに対する応答として取得したサービス情報を解析することで、第１の通信方式によって通信する通信装置を、当該通信装置の能力情報を取得せずに検索することを特徴とする請求項４に記載の情報処理装置。
【請求項６】
前記サービス情報は、前記通信装置が提供するサービス種類の情報を含む情報であることを特徴とする請求項５に記載の情報処理装置。
【請求項７】
前記第２の通信方式は、前記情報処理装置及び前記通信装置の外部に存在する外部アクセスポイントを介して通信する通信方式であることを特徴とする請求項１乃至請求項６のいずれか一項に記載の情報処理装置。
【請求項８】
前記第２の検索手段は、前記外部アクセスポイントに接続している通信装置に情報の提供を要求するブロードキャストを発行し、当該ブロードキャストに対する応答として取得した情報を解析することで、第２の通信方式によって通信する通信装置を検索することを特徴とする請求項７に記載の情報処理装置。
【請求項９】
前記能力情報は、前記通信装置が備える機能に関する情報、前記通信装置が備える機能において利用可能な記録剤又は記録媒体に関する情報、前記通信装置が備える機能において利用可能なデータのデータ形式に関する情報のうち少なくとも１つの情報を含む情報であることを特徴とする請求項１乃至請求項８のいずれか一項に記載の情報処理装置。
【請求項１０】
通信装置と接続する接続手段をさらに有し、
前記接続手段は、前記選択操作が受け付けられた場合に、前記選択操作によって選択された通信装置の通信方式に応じて、前記選択操作によって選択された通信装置と接続することを特徴とする請求項１乃至請求項９のいずれか一項に記載の情報処理装置。
【請求項１１】
前記第１の検索手段が検索した通信装置及び前記第２の検索手段が検索した通信装置を示す検索結果画面をディスプレイに表示する表示手段をさらに有することを特徴とする請求項１乃至請求項１０のいずれか一項に記載の情報処理装置。
【請求項１２】
前記表示手段は、前記第１の検索手段が検索した通信装置と前記第２の検索手段が検索した通信装置とを識別可能にして前記検索結果画面をディスプレイに表示することを特徴とする請求項１１に記載の情報処理装置。
【請求項１３】
前記第１の検索手段によって発見された通信装置及び前記第２の検索手段によって発見された通信装置から、前記能力情報と異なり、通信装置のアドレスに関するアドレス情報を取得するアドレス取得手段を更に有し、
前記アドレス取得手段は、前記選択操作が受け付けられる前に、前記第１の検索手段によって発見された通信装置及び前記第２の検索手段によって発見された通信装置から、前記アドレス情報を取得することを特徴とする請求項１乃至請求項１２のいずれか一項に記載の情報処理装置。
【請求項１４】
通信装置と通信する情報処理装置の制御方法であって、
第１の通信方式によって通信する通信装置を検索する第１の検索処理を実行する第１検索ステップと、
前記第１の通信方式と異なる第２の通信方式によって通信する通信装置を検索する第２の検索処理を実行する第２検索ステップと、
前記第１の検索処理によって発見された通信装置及び前記第２の検索処理によって発見された通信装置から、通信装置の所定の能力に関する能力情報を取得する取得ステップと、
前記第１の検索処理によって発見された通信装置及び前記第２の検索処理によって発見された通信装置のうちいずれかの通信装置を選択するための選択操作をユーザから受け付ける受け付けステップと、を有し、
前記選択操作が受け付けられる前には、前記第１の検索処理によって発見された通信装置から前記能力情報が取得され、前記第２の検索処理によって発見された通信装置から前記能力情報が取得されず、前記選択操作が受け付けられた後には、前記第２の検索処理によって発見され、且つ前記選択操作により選択された通信装置から前記能力情報が取得され、前記第１の検索処理によって発見された通信装置及び、前記第２の検索処理によって発見され、且つ前記選択操作により選択されなかった通信装置から前記能力情報が取得されないことを特徴とする制御方法。
【請求項１５】
通信装置と通信する情報処理装置のコンピュータに、
第１の通信方式によって通信する通信装置を検索する第１の検索処理を実行する第１検索ステップと、
前記第１の通信方式と異なる第２の通信方式によって通信する通信装置を検索する第２の検索処理を実行する第２検索ステップと、
前記第１の検索処理によって発見された通信装置及び前記第２の検索処理によって発見された通信装置から、通信装置の所定の能力に関する能力情報を取得する取得ステップと、
前記第１の検索処理によって発見された通信装置及び前記第２の検索処理によって発見された通信装置のうちいずれかの通信装置を選択するための選択操作をユーザから受け付ける受け付けステップと、を実行させ、
前記選択操作が受け付けられる前には、前記第１の検索処理によって発見された通信装置から前記能力情報が取得され、前記第２の検索処理によって発見された通信装置から前記能力情報が取得されず、前記選択操作が受け付けられた後には、前記第２の検索処理によって発見され、且つ前記選択操作により選択された通信装置から前記能力情報が取得され、前記第１の検索処理によって発見された通信装置及び、前記第２の検索処理によって発見され、且つ前記選択操作により選択されなかった通信装置から前記能力情報が取得されないことを特徴とするプログラム。
【請求項１６】
前記検索ステップでは、記録剤によって記録媒体上に画像を形成する画像形成手段を備え且つ前記第１の通信方式によって通信する通信装置及び、前記画像形成手段を備え且つ前記第２の通信方式によって通信する通信装置を検索することを特徴とする請求項１５に記載のプログラム。
【請求項１７】
前記第１の通信方式は、ピアツーピア通信方式であることを特徴とする請求項１４又は請求項１６に記載のプログラム。
【請求項１８】
前記第１の通信方式は、Ｗｉ−Ｆｉ  Ｄｉｒｅｃｔの通信方式であることを特徴とする請求項１５乃至請求項１７のいずれか一項に記載のプログラム。
【請求項１９】
前記検索ステップでは、Ｗｉ−Ｆｉ  Ｄｉｒｅｃｔで規定された検索プロトコルによって、Ｗｉ−Ｆｉ  Ｄｉｒｅｃｔの通信方式によって通信可能な通信装置にサービス情報の提供を要求するブロードキャストを発行し、当該ブロードキャストに対する応答として取得したサービス情報を解析することで、第１の通信方式によって通信する通信装置を、当該通信装置の能力情報を取得せずに検索することを特徴とする請求項１８に記載のプログラム。
【請求項２０】
前記サービス情報は、前記通信装置が提供するサービス種類の情報を含む情報であることを特徴とする請求項１９に記載のプログラム。
【請求項２１】
前記第２の通信方式は、前記情報処理装置及び前記通信装置の外部に存在する外部アクセスポイントを介して通信する通信方式であることを特徴とする請求項１５乃至請求項２０のいずれか一項に記載のプログラム。
【請求項２２】
前記検索ステップでは、前記外部アクセスポイントに接続している通信装置に情報の提供を要求するブロードキャストを発行し、当該ブロードキャストに対する応答として取得した情報を解析することで、第２の通信方式によって通信する通信装置を検索することを特徴とする請求項１５乃至請求項２１のいずれか一項に記載のプログラム。
【請求項２３】
前記能力情報は、前記通信装置を識別するための情報、前記通信装置が備える機能に関する情報、前記通信装置が備える機能において利用可能な記録剤又は記録媒体に関する情報、前記通信装置が備える機能において利用可能なデータのデータ形式に関する情報のうち少なくとも１つの情報を含む情報であることを特徴とする請求項１５乃至請求項２２のいずれか一項に記載のプログラム。
【請求項２４】
通信装置と接続する接続ステップをさらに実行させ、
前記接続ステップでは、前記選択操作が受け付けられた場合に、前記選択操作によって選択された通信装置の通信方式に応じて、前記選択操作によって選択された通信装置と接続することを特徴とする請求項１５乃至請求項２３のいずれか一項に記載のプログラム。
【請求項２５】
前記検索ステップにおいて検索した通信装置を表示する示す検索結果画面をディスプレイに表示する表示ステップをさらに実行させることを特徴とする請求項１５乃至請求項２４のいずれか一項に記載のプログラム。
【請求項２６】
前記表示ステップでは、前記第１の通信方式によって通信する通信装置と、前記第２の通信方式によって通信する通信装置とを識別可能にして前記検索結果画面をディスプレイに表示することを特徴とする請求項２５に記載のプログラム。
【請求項２７】
前記第１の検索手段によって発見された通信装置及び前記第２の検索手段によって発見された通信装置から、前記能力情報と異なり、通信装置のアドレスに関するアドレス情報を取得するアドレス取得ステップを更に有し、
前記アドレス取得手段は、前記選択操作が受け付けられる前に、前記第１の検索手段によって発見された通信装置及び前記第２の検索手段によって発見された通信装置から、前記アドレス情報を取得することを特徴とする請求項１５乃至請求項２６のいずれか一項に記載のプログラム。
【手続補正２】
【補正対象書類名】明細書
【補正対象項目名】０００６
【補正方法】変更
【補正の内容】
【０００６】
そこで、上記目的を達成するために、本発明の情報処理装置は、
通信装置と通信する情報処理装置であって、
第１の通信方式によって通信する通信装置を検索する第１の検索手段と、
前記第１の通信方式と異なる第２の通信方式によって通信する通信装置を検索する第２の検索手段と、
前記第１の検索手段によって発見された通信装置及び前記第２の検索手段によって発見された通信装置から、通信装置の所定の能力に関する能力情報を取得する取得手段と、
前記第１の検索手段が検索した通信装置及び前記第２の検索手段が検索した通信装置のうちいずれかの通信装置を選択するための選択操作をユーザから受け付ける受け付け手段と、
を有し、
前記取得手段は、前記選択操作が受け付けられる前には、前記第１の検索手段によって発見された通信装置から前記能力情報を取得し、前記第２の検索手段によって発見された通信装置から前記能力情報を取得せず、前記選択操作が受け付けられた後には、前記第２の検索手段によって発見され、且つ前記選択操作により選択された通信装置から前記能力情報を取得し、前記第１の検索手段によって発見された通信装置及び、前記第２の検索手段によって発見され、且つ前記選択操作により選択されなかった通信装置から前記能力情報を取得しないことを特徴とする。
【手続補正３】
【補正対象書類名】明細書
【補正対象項目名】００３５
【補正方法】変更
【補正の内容】
【００３５】
スキャン処理部４０５は、プリンタ１０２が備える不図示のスキャナデバイスの制御を行い、スマートホン１０１等から受信するスキャンジョブや操作部２０５に対する操作等に基づいて、原稿の読み取り処理を行う。スキャン処理機能４０５によって読み取った画像データは、プリント処理部４０４による印刷に用いられたり、通信部４０６を介して他の装置へ送信される。
【手続補正４】
【補正対象書類名】明細書
【補正対象項目名】００６１
【補正方法】変更
【補正の内容】
【００６１】
なお、上記図５におけるフローチャートでは、Ｗｉ−Ｆｉ  Ｄｉｒｅｃｔによる検索（第１の検索ステップ）の後に、ブロードキャストによる検索（第２の検索ステップ）が実行される例を示した。しかしこれに限らず、第１の検索ステップおよび第２の検索ステップが並行して実行されてもよい。この場合に、第１の検索ステップまたは第２の検索ステップで検索された順に、プリンタリストに追加されても良い。ただしこの場合、リストにおいて、第１の検索ステップで検索されたプリンタと第２の検索ステップで検索されたプリンタとが混在することになる。そのため、図８に示したように、検索方法に応じてプリンタを区別して表示するようにしてもよい。
【手続補正５】
【補正対象書類名】明細書
【補正対象項目名】００６６
【補正方法】変更
【補正の内容】
【００６６】
上述の実施形態では、ＣＰＵ２０１は、第一の検索ステップ及び第二の検索ステップを実行した後、Ｓ５０９にてユーザによって通信装置の選択を受け付けている。しかし、ＣＰＵ２０１は、第一の検索ステップ、第二の検索ステップのどちらか、もしくは両方を実行中に、ユーザから通信装置の選択を受け付けてもよい。